(57)【特許請求の範囲】
【請求項１】
流体調節器であって、
前記流体調節器の入口と出口との間の流体の流れを調節又は規制すべく弁座及び流れ制御部材を備え、前記流れ制御部材が第１の端と第２の端との間の長手方向のボアを含む本体を有する、トリム組立体と、
前記流れ制御部材の前記ボア内に配置されるバルブステムと、
前記バルブステムと前記流れ制御部材とを摺動可能に連結するコネクタであって、前記流れ制御部材が前記弁座に対し密封して係合するとき、前記流体調節器の負荷要素によって与えられる負荷力を前記流れ制御部材から取り除くべく前記コネクタが前記流れ制御部材から離れる方向に動く、コネクタと、
前記バルブステムに結合された感知要素と、
を備え、
前記負荷要素及び上流側の加圧流体の圧力によって与えられる前記感知要素の両側での圧力差が前記弁座に対して前記バルブステムを接離する方向に移動させる、流体調節器。
【請求項２】
前記流れ制御部材を前記弁座に向かって付勢し、前記コネクタが前記流れ制御部材から離れる方向に動くとき、前記流れ制御部材に座負荷を提供する付勢要素を更に備える、請求項１に記載の流体調節器。
【請求項３】
前記付勢要素は前記弁座に向かって前記流れ制御部材を付勢すべく、前記流れ制御部材の第２の側に力を及ぼす、請求項２に記載の流体調節器。
【請求項４】
前記コネクタは、前記第２の側とは反対の前記流れ制御部材の第１の側に係合して、前記流体調節器を通る流体の流れを可能にするように前記流れ制御部材を
前記弁座から離れる方向に動かす、請求項３に記載の流体調節器。
【請求項５】
前記流れ制御部材の前記第１の側はシールを含む、請求項４に記載の流体調節器。
【請求項６】
前記シールは弾性材を含む、請求項５に記載の流体調節器。
【請求項７】
前記流体調節器が閉位置のときに、前記シールは前記弁座に対し密封するように係合する、請求項５又は６に記載の流体調節器。
【請求項８】
前記コネクタは前記バルブステムの１つの端にねじ込んで結合される留め具を備える、請求項１〜７のいずれか一項に記載の流体調節器。
【請求項９】
前記負荷要素は制御バネを備え、該制御バネは前記流体調節器の前記弁座に向かって前記感知要素及び前記バルブステムを付勢する、請求項１〜８のいずれか一項に記載の流体調節器。
【請求項１０】
感知器具の下ケーシング内に配置されたダイヤフラムヘッドを更に備え、該ダイヤフラムヘッドは、前記感知要素の両側の前記圧力差が前記バルブステムを前記弁座の方向に動かす際の行程止めを提供する、請求項１〜９のいずれか一項に記載の流体調節器。
【請求項１１】
流体調節器であって、
前記流体調節器の入口と出口との間の流体の流れを調節又は規制する座及びプラグを備え、該プラグがその中を通るボアを有する、トリム組立体と、
前記ボアを通じて前記プラグに摺動可能に接続され、且つ、前記プラグが前記座に係合されるときに前記ボアを通じての動きが可能なステムであって、前記プラグを前記座から離す方向に前記プラグに係合するヘッドを含む、ステムと、
前記プラグに結合され、前記ヘッドが前記プラグから係脱されたときに前記座に対し前記プラグを密封係合して保持するバネと、
前記ステムに結合された感知要素と
を備え、
前記流体調節器の負荷要素及び上流側の加圧流体の圧力によって与えられる前記感知要素の両側での圧力差が前記座に対して前記ステムを接離する方向に移動させる、流体調節器。
【請求項１２】
前記ステムの第１の端は前記ヘッドを含み、前記ステムの第２の端は圧力感知要素に固定的に結合される、請求項１１に記載の流体調節器。
【請求項１３】
前記ヘッドは前記ステムの前記第１の端にねじ込んで結合される留め具を備える、請求項１２に記載の流体調節器。
【請求項１４】
前記プラグが前記座に対し密封して係合するとき、前記ヘッドは前記プラグから係脱して、前記負荷要素に与えられる前記プラグの負荷力を軽減する、請求項１１〜１３のいずれか一項に記載の流体調節器。
【請求項１５】
前記プラグはシールを含み、該シールは、前記流体調節器が閉位置のときに前記入口と前記出口との間の流体の流れを妨げるまたは制限すべく前記流体調節器の前記座に対し密封して係合する、請求項１１〜１４のいずれか一項に記載の流体調節器。
【請求項１６】
前記シールは弾性シールを備え、前記プラグが前記座に対し密封して係合するとき、前記バネは座負荷を前記シールに与える、請求項１５に記載の流体調節器。
【請求項１７】
前記感知要素の両側の圧力差が前記ステムを前記座に向かって動かすとき、前記座に向かう前記ステムの動きを制限する行程止めを更に備える、請求項１１〜１６のいずれか一項に記載の流体調節器。
【請求項１８】
流体調節器であって、
前記流体調節器の負荷要素によって与えられる圧力設定点に前記流体調節器よりも上流の流体圧力を調節する調節手段であって、弁座、流れ制御部材、バルブステム及び感知要素を備え、前記負荷要素及び上流側の加圧流体の圧力によって与えられる前記感知要素の両側の圧力差が前記弁座に対して前記バルブステムを接離する方向に移動させる、調節手段と、
前記上流の流体圧力が前記負荷要素によって与えられる前記圧力設定点より低く且つ前記調節手段が前記圧力調節器を通る流体の流れを妨げるかまたは制限する閉位置にあるとき、前記負荷要素によって与えられる前記調節手段の力を軽減する軽減手段と、
前記軽減手段が前記調節手段に与えられる前記力を軽減するとき、前記調節手段に座負荷を付与する付与手段とを備える流体調節器。
【請求項１９】
前記軽減手段は、前記バルブステムと前記流れ制御部材とを摺動可能に結合する結合手段を備え、該結合手段は、前記上流圧力が前記圧力設定点より大きいとき、前記流れ制御部材を前記弁座から離れる方向に動かすべく前記流れ制御部材に係合し、前記上流圧力が前記圧力設定点より小さいとき、前記流れ制御部材から離れる方向に動く、請求項１８に記載の流体調節器。
【発明の詳細な説明】
【技術分野】
【０００１】
本開示は概して流体調節器に関し、より具体的には、流体調節器での使用のためのバルブステム及びバルブプラグ器具に関する。
【背景技術】
【０００２】
プロセス制御システムはプロセスパラメータを制御するための様々なフィールド装置を用いる。流体調節器は様々な流体（例えば、液体、気体、等）の圧力を制御するために一般にプロセス制御システム中に配分される。一般に、背圧流体調節器は許容可能な及び／または一定の圧力制限内に上流プロセスシステム圧力を維持するために感知された上流圧力を調整または調節する。例えば、背圧流体調節器は一般的に高圧流体が背圧調節器の上流の器具または制御装置に到達するのを防ぐために高圧流体源の圧力を調節する。
【０００３】
公知の背圧流体調節器の中には、入口と出口の間の流体の流れを妨げるまたは許すために弁座に対して弁プラグを動かすためにバルブステム経由でバルブプラグに操作可能に連結されるダイヤフラムを含むものがある。例えば、背圧流体調節器は、一般的に第1の方向（例えば、バルブプラグが弁座を密封するように係合する閉方向）にバルブプラグを強いるためにダイヤフラムの第1の側に加えられる既定の制御力または負荷を用いて上流流体圧力を一般に調節する。ダイヤフラムの第２の側は、第１の方向と対向する第２の方向にダイヤフラムを強いるように力を加えるように入口流体または上流圧力に流体的に連通される。かくして、ダイヤフラムは所望の上流圧力を維持するまたは調節するために調節器を通る流れを変えるために入口での流体の圧力（すなわち、ダイヤフラムの第２の側に加えられる力）と既定の制御力（すなわち、ダイヤフラムの第１の側に加えられる力）との間の違いに応じてバルブプラグを動かす。
【発明の概要】
【発明が解決しようとする課題】
【０００４】
バルブプラグおよびバルブステムは、バルブプラグが常時ダイヤフラムと共に動くようにしばしば留め具によって堅く一緒に結合される。かくして、バルブプラグは常時操作可能にダイヤフラム及び既定の制御または負荷に結合されたままである。その結果、バルブプラグが弁座に密封するように係合するときに、既定の力がバルブプラグのシール（例えば、弾性Ｏリング）に加えられる。しかし、例えば流体調節器の保守や輸送中に、感知室内に制御圧力がないときに、バルブプラグが弁座に係合するときに、既定の負荷または力が比較的高い座の負荷をバルブプラグに与えるので、バルブプラグとバルブステムの間のこうした接続は不利である。こうした比較的高い座の負荷はバルブプラグのシール（例えば、弾性シール）を損傷し、そのため操作中に調節器の漏れを生じさせる可能性がある。
【課題を解決するための手段】
【０００５】
１つの実施例において、流体調節器は、第１の端と第２の端との間に長手方向の穴を含む本体を有する流れ制御部材を含み、バルブステムは流れ制御部材の穴内に配置される。流れ制御部材が流体調節器の密封するように弁座に係合するときに、流体調節器の負荷要素によって与えられる負荷力を流れ制御部材から取り除くように、コネクタが流れ制御部材から離れるように動くように、コネクタがバルブステムと流れ制御部材を摺動可能に接続する。
【０００６】
別の実施例において、流体調節器はその中を通る穴を有するプラグを含む。プラグが流体調節器の座と係合されるときにステムが穴を通り動くことができるように穴を通して摺動可能にステムがプラグに接続される。ステムは座から離れるようにプラグを動かすようにプラグに係合するヘッドを包含する。ヘッドがプラグから外されたときにプラグが座と密封するように係合するよう保持するようにバネがプラグに接続されている。
【図面の簡単な説明】
【０００７】
【図１Ａ】公知の流体調節器を示す図である。
【図１Ｂ】図１Ａの公知の流体調節器の一部の拡大図を示す図である。
【図２Ａ】本明細書に記載される例示的な流体調節器を示す図である。
【図２Ｂ】図２Ａの例示的な流体調節器の一部の拡大図を示す図である。
【図３】開いた位置の図２Ａ及び図２Ｂの例示的な流体調節器を示す図である。
【図４】閉じた位置の図２Ａ、図２Ｂ及び図３の例示的な流体調節器を示す図である。
【発明を実施するための形態】
【０００８】
本明細書に記載される例示的な背圧流体調節器は、流体調節器を通る流体の流れを妨げるまたは制限するように（例えば、閉位置）流れ制御部材が弁座に密封するように係合するときに、操作可能に流れ制御部材から負荷要素を係脱または接続を外し、流体調節器（例えば、開位置）を通る流体の流れを許すように、流れ制御部材を弁座から離れるように操作可能に負荷要素を流れ制御部材に接続する。より具体的には、流れ制御部材が弁座と密封するように係合するときに流れ制御部材を通してバルブステムが摺動することを可能にすることにより負荷要素が流れ制御部材から操作可能に係脱される。流れ制御部材が弁座に密封するように係合するときに流れ制御部材を通してバルブステムの摺動を許すことは、流体調節器の負荷要素（例えば、制御バネ）によって流れ制御部材に与えられる座負荷または力を低減するまたは除去する。こうした構成は、例えば流体調節器の保守や輸送中の流れ制御部材への（例えば、流れ制御部材のシール）への損傷を著しく低減することができる。具体的には、流れ制御部材のシールに比較的大きい負荷を与えることなしに、流体バルブの顧客への輸送前に、負荷要素の既定の圧力または力は製造者によって調整または設定されても良い。
【０００９】
本明細書に記載される例示的な背圧流体調節器について述べる前に、図１Ａにおいて公知のバネ負荷の背圧流体調節器１００の簡単な説明をする。図１Ｂは図１Ａの流体調節器１００の一部の拡大図を示す。図１Ａ及び図１Ｂに示されるように、流体調節器１００は、弁１０４に操作可能に接続される感知素子またはダイヤフラム１０２を包含する。ダイヤフラム１０２の第１の側または表面１０６及び上ケーシング１０８は、第１の室１１０を画定し、ダイヤフラム１０２の第２の側または表面１１２及び下ケーシング１１４は、第２のまたは感知室を画定する。バルブステム１２０の第１の端１１８は、ダイヤフラムプレート１２２及び留め具１２４によってダイヤフラム１０２に堅く接続される。負荷要素１２６は、感知室１１６に向けてダイヤフラム１０２を付勢するようにダイヤフラム１０２の第１の側１０６に既定の力または負荷を与えるようにダイヤフラム１０２に接続される。
【００１０】
図１Ｂに最も明確に示されるように、バルブステム１２０の第２の端１２８が連結器１３２及び留め具１３４によって弁１０４のバルブプラグ１３０に固定するようにまたは堅く連結される。バルブプラグ１３０はまた、流体調節器１００が（図１Ａ及び図１Ｂに示されるように）閉位置のときに、入口１４０と出口１４２との間の流体の流れを防ぐために、弁座１３８に密封するように係合するシール１３６（例えば、弾性Ｏリングシール）も包含する。シール１３６は、流体調節器１００を通る流体の流れを妨げるまたは制限するために実質的に密接な遮断をするために弁座１３８によって確定されるオリフィス１４４（例えば、ナイフエッジオリフィス）に密封するように係合する。
【００１１】
運転中、流体調節器１００は上流の流体の圧力を、入口１４０において調整する。負荷要素１２６は、ダイヤフラム１０２の第１の側１０６に向けて所定のまたは既定の力を与える。感知室１１６は、感知ライン（図示せず）経由で、入口１４０での上流流体の圧力（すなわち、制御圧力）を感知する。負荷要素１２６によって提供されるダイヤフラム１０２の両側の圧力差及び感知室１１６内の流体の圧力は、ダイヤフラム１０２を、かくしてバルブプラグ１３０を弁座１３８に向かって、または弁座１３８から離れるように動かし、入口１４０と出口１４２との間の流体の流れを制限する、または許すようにする。バルブステム１２０経由でバルブプラグ１３０がダイヤフラム１０２及び負荷要素１２６に堅く連結されているので、ダイヤフラム１０２の動きがバルブプラグ１３０を、弁座１３８に向かって、または弁座１３８から離れるように動くようにする。それゆえ、バルブプラグ１３０が弁座１３８と密封するように係合するとき、負荷要素１２６は常時バルブプラグ１３０に操作可能に連結され続けたままである。換言すると、バルブプラグ１３０が弁座１３８と密封するように係合するとき、負荷要素１２６は常時バルブプラグ１３０に負荷を与える。
【００１２】
既定の力はアジャスタ１４６を介して調整または増加させられてよい。かくして、ある適用では、比較的高い力を与えるために既定の力が調整されることがある。感知室１１６内の制御圧力がなく、バルブプラグ１３０が弁座１３８と係合するときに、負荷要素１２６によって及ぼされる力は、バルブプラグ１３０に比較的高い座負荷または力を与える。その結果、バルブプラグ１３０及びバルブステム１２０が堅く結合される（すなわち、弁座１３８も機械的停止をもたらす働きをする）ので、負荷要素１２６によって及ぼされる比較的高い座負荷の下、弁座１３８のオリフィス１４４にバルブプラグ１３０のシール１３６が密封するように係合する。
【００１３】
シール１３６に与えられるこうした比較的高い座負荷は、シール１３６を損傷し（例えば、割れる）、それにより流体調節器１００が閉位置にあるときに、操作中に弁座１３８にわたる望ましくない漏れをもたらすことがある。かくして、例えば、その中で感知室１１６からの制御圧力が軽減される、流体調節器１００の保守または輸送中に、負荷要素１２６は座１３６に損傷を生じさせる可能性がある、バルブプラグ１３０に比較的大きい座負荷を与えることがある。
【００１４】
図２は、本明細書に記載される、本明細書に記載される、例示的なバルブステムと流れ制御部材との接続により実施される例示的な流体調節器２００を示す。図２に示されるように、流体調節器２００は、操作可能に流体フロー制御装置または流体弁２０４（例えば、摺動ステム弁）に結合された、感知器具及び作動装置組立体２０２を含む。負荷要素２０６は、既定力または負荷をもたらすために作動装置組立体２０２に操作可能に結合される。図示のように、流体調節器２００は、上流圧力源（図示せず）の圧力を負荷要素２０６によってもたらされる既定負荷に調節する背圧調節器である。例えば、例示的な流体調節器２００は、再循環圧力システムの制御圧力を維持し、圧力感知装置（例えば、圧力システムの上流）等を保護するために過剰なシステム圧力を軽減するために用いられて良い。かくして、加圧流体が、加圧流体を受け取る様々な器具または制御装置による使用のために適切な、所望の操作圧力より大きい圧力を有するときに、背圧調節器２００は、過剰な流体圧力を軽減または低減するように構成される。
【００１５】
作動装置２０２は、下ケーシング２１０と上ケーシングすなわちバネケーシング２１２との間に配置される感知素子すなわちダイヤフラム２０８を包含する。この実施例において、作動装置２０２は、負荷要素２０６を収容するための作動装置２０２の枠を拡大するためのスペーサ２１１を含む。しかしながら、他の実施例において、下ケーシング２１０は上ケーシング２１２に直接結合されても良い。図示のように、ダイヤフラム２０８はスペーサ２１１と下ケーシング２１０との間に捉えられる。ダイヤフラム２０８の第１の側２１４及び上ケーシング２１２は上の室のすなわち負荷室２１６を画定しダイヤフラム２０８の第２の側２１８及び下ケーシング２１０は下の室すなわち感知室２２０を画定する。感知室２２０はポート２２２及び上流圧力と流体連通する感知ライン（図示せず）を通して上流圧力源（図示せず）に流体的に結合される。バルブステム２２６の第１の端２２４は、ダイヤフラム２０８に留め具２２８及びダイヤフラムヘッド２３０を介して固定的にまたは堅く結合される。この実施例において、以下に非常に詳細に記載されるように、流体弁２０４へ向かうバルブステム２２６の動きまたは行程を制限するために、ダイヤフラムヘッド２３０は、下ケーシング２１０の表面２３２に係合する。かくして、ダイヤフラムヘッド２３０は、ダイヤフラム２０８への損傷を防ぐために、所定の距離を越えるダイヤフラム２０８のたわみの量を制限する。
【００１６】
この実施例において、負荷要素２０６は、上バネ座２３４（例えば、移動可能なまたは調整可能なバネ座）と下バネ座２３６との間の、上ケーシング２１２の負荷室２１６内に配置される制御バネである。負荷要素２０６は、下ケーシング２１０に向けてダイヤフラム２０８を付勢するように、既定の負荷または力を与えるように、下バネ座２３６経由でダイヤフラム２０８に操作可能に連結される。負荷要素２０６によってダイヤフラム２０８に及ぼされる力の量は、アジャスタ２３８（例えば、つまみまたはネジ）を介して、調整（例えば、増減）することができる。アジャスタ２３８を第１の方向（例えば、時計回り）に回すとダイヤフラム２０８の第１の側２１４に負荷要素２０６がより大きな力を及ぼすようにして、アジャスタ２３８を第２の方向（例えば、反時計回り）に回すと負荷要素２０６がダイヤフラム２０８の第１の側２１４に及ぼされる力を低減するようにアジャスタ２３８が上バネ座２３４に結合される。かくして、負荷要素２０６は上流流体圧力によってもたらされる感知室２２０内の力に対向する。
【００１７】
図示のように、フランジ２４０及びアダプタ２４２を介して流体弁２０４に下ケーシング２１０が連結されている。流体弁２０４は、入口２４８と出口２５０との間の流体フロー通路２４６を画定する調節器本体２４４を含む。入口２４８は、上流圧力源またはシステム（例えば、ポンプシステムの出口）に流体的に結合され、出口２５０は低圧力システム（例えば、容器、供給システム、等）に流体的に結合されても良い。流体弁２０４は入口２４８と出口２５０との間の流体のフローを調節または制限するための調節本体２４４内に配置される弁トリム組立体２５２を含む。この実施例において、弁トリム組立体２５２は、弁座２５４（例えば、軟座）、ケージ２５６及び流れ制御部材またはバルブプラグ２５８を含む。ケージ２５６は、ケージ２５６が流体弁２０４に結合されているときに、調節器本体２４４内に弁座２５４を保持する。弁座２５４は入口２４８と出口２５０との間にその中を通って流体が流れて良いオリフィス２６０を画定する。この実施例において、調節器本体２４４は、取り外し可能なプラグ２６４を受け取るアクセスポート２６２も包含する。
【００１８】
図２Ｂに最も明確に示されるように、流れ制御部材２５８は、座受け領域２６８を含む円筒体２６６を有するバルブプラグとして描かれる。流体調節器２００が閉位置にあるときに、入口２４８と出口２５０との間の流体の流れを妨げるまたは制限するために、弾性材から成るシール２７０（例えば、Ｏリング）が座受け領域２６８内に配置され弁座２５４を密封するように係合する。
【００１９】
この実施例において、流れ制御部材２５８の両側に作用する入口２４８での上流プロセス流体の圧力によって、流れ制御部材２５８の両側にかかる力を実質的にバランスをとるまたは均一にするために、流れ制御部材２５８はチャンネルまたは導管２７２を含む。その結果、閉位置と開位置との間を流れ制御部材２５８を動かすために、より小さい負荷力がもたらされる可能性がある。しかしながら、他の実施例において、非平衡流れ制御部材が用いられても良い。本体２６６は、プラグシール組立体２７６を受けるために凹部２７４も含む。プラグシール組立体２７６はケージ２５６と調節器本体２４４との間から流体が漏れるのを防ぐためにケージ２５６の内側面２７８に係合する。
【００２０】
流れ制御部材２５８の本体２６６は、第１の側または面２８２と第２の側または面２８４との間の長手方向の穴または開口２８０を含む。以下に非常に詳細に記載されるように、流れ制御部材２５８が弁座２５４と係合するときにバルブステム２２６は、ボア２８０を通して動くことを許すようにバルブステム２２６は摺動可能に流れ制御部材２５８にボア２８０を通して結合される。バルブステム２２６は、第１の側２８２または流れ制御部材２５８のシール２７０に隣接して配置されるヘッドまたはコネクタ２８６を含む。ヘッド２８６は、ヘッド２８６がボア２８０を通り流れ制御部材２５８の第２の側２８４に摺動することを防ぐために、流れ制御部材２５８のボアまたは開口２８０より大きいサイズの拡大部または面２８８を含む。かくして、ヘッド２８６は摺動可能にバルブステム２２６及び流れ制御部材２５８を結合する。
【００２１】
この実施例において、ヘッド２８６はバルブステム２２６の第２の端２９０にねじ込み可能に結合される留め具である。図示されないが、他の実施例において、ヘッド２８６はバルブステム２２６の第２の端２９０と一体に形成されて良い。例えば、バルブステム２２６及びヘッド２８６は機械加工または、任意の他の適切な製造過程によって材料から形成されても良い。バルブステム２２６と一体にヘッド２８６を有する実施例において、摺動可能にバルブステム２２６を流れ制御部材２５８に結合するようにバルブステム２２６の第１の端２２４はボア２８０内に挿入されている。他の実施例において、ヘッド２８６は、流れ制御部材２５８のボア２８０より大きい任意の他の適切な輪郭または形状を有しても良い。
【００２２】
更に、この実施例において、弁座２５４に向かって流れ制御部材２５８を付勢するために付勢要素または塞ぎバネ２９２が流れ制御部材２５８に結合される。塞ぎバネ２９２は、第１のバネ座またはアダプタ２４２とシール２７０の反対側の流れ制御部材２５８の第２の側またはキャビティ２９４との間に配置される。塞ぎバネ２９２は、流れ制御部材２５８が弁座２５４に係合するときに、流れ制御部材２５８が弁座２５４と密封するように係合するように保持する。塞ぎバネ２９２によって流れ制御部材２５８に与えられる力は、シール２７０に損傷を与える可能性がある力より小さい。かくして、塞ぎバネ２９２は非破壊的な、所定の座負荷または塞ぎ力を流れ制御部材２５８に与える。
【００２３】
図３は、流体が調節器２００を通って流れることを可能にする開位置３００の流体調節器２００を示す。図４は、ヘッド２８６が流れ制御部材２５８から係脱される閉位置４００の流体調節器２００を示す。図２Ａ、図２Ｂ、図３及び図４を参照し、作動中に、入口２４８は、例えば、上流加圧流体源から加圧流体を受け取る。感知室２２０は、感知ライン（図示せず）経由で、ポート２２２に結合される入口１４０で、加圧流体の圧力を受けるまたは感知する。感知室２２０内の流体の圧力によって提供されるダイヤフラム２０８の両側の圧力差及び負荷要素２０６によって与えられる圧力または力は、ダイヤフラム２０８を、かくしてバルブステム２２６を弁座２５４に向かって、または弁座２５４から離れるように動かすようにする。換言すると、入口２４８での加圧流体の圧力が既定の負荷または負荷要素２０６によってもたらされる圧力より大きいときに調節器本体２４４を通る流体の流れを許すように、ダイヤフラム２０８は流れ制御部材２５８を弁座２５４から離れるように開位置３００に動かす。
【００２４】
例えば、入口２４８における加圧流体の圧力が負荷要素２０６によってダイヤフラム２０８の第１の側２１４に及ぼされる力より大きい力をダイヤフラム２０８の第２の側２１８に及ぼすとき、ダイヤフラム２０８及びバルブステム２２６は上ケーシング２１２に向かって動き、負荷要素２０６を圧縮する。一方、バルブステム２２６の第２の端２９０にあるヘッド２８６は流れ制御部材２５８の第１の側２８２に係合し、それにより入口２４８と出口２５０（例えば、開位置３００）との間の流体の流れを可能にするように、流れ制御部材２５８が弁座２５４から離れるように動くようにする。換言すると、流体調節器２００が開位置３００にあるときにヘッド２８６は、流れ制御部材２５８及び負荷要素２０６及び／またはダイヤフラム２０８を操作可能に結合する。流体が入口２４８と出口２５０との間を流れるにつれ流体の圧力が減少する。ダイヤフラム２０８（例えば、アジャスタ２３８を介した）の第１の側２１４の負荷要素２０６によって及ぼされる力を増加することは、流れ制御部材２５８を開位置３００に動かすべく、入口２４８での加圧流体の圧力によってダイヤフラム２０８の第２の側２１８に、より高いすなわち大きい力を及ぼすことを必要とする。
【００２５】
入口２４８における加圧流体の圧力がダイヤフラム２０８の第１の側２１４の負荷要素２０６によって提供される既定の負荷または所定の圧力に実質等しいまたは小さいときに、負荷要素２０６は伸長し、ダイヤフラム２０８及びバルブステム２２６を下室２２０に向かって動かすようにする。一方、図４の位置４００に示されるように、流れ制御部材２５８のボア２８０内でバルブステム２２６が摺動するにつれヘッド２８６は流れ制御部材２５８の第１の側２８２を係脱するまたは第１の側２８２が離れるように動く。換言すると、摺動するバルブステム２２６は操作可能に負荷要素２０６及び／またはダイヤフラム２０８を流れ制御部材２５８から係脱するまたは結合を外す。
【００２６】
ヘッド２８６が流れ制御部材２５８の第１の側２８２から係脱するまたは離れるように動くときに、塞ぎバネ２９２は弁座２５４に向かって流れ制御部材２５８を付勢し続ける。塞ぎバネ２９２はヘッド２８６が流れ制御部材２５８から係脱するときに、流れ制御部材２５８が弁座２５４と密封するように係合するように保持する。換言すると、入口２４８と出口２５０との間の流体の流れを妨げるまたは制限するために、シール２７０が弁座２５４に密封するように係合するように、塞ぎバネ２９２は座負荷を流れ制御部材２５８に提供する。
【００２７】
更に、流れ制御部材２５８が弁座２５４に係合するときに負荷要素２０６によって与えられる負荷力または既定力を流れ制御部材２５８から軽減するように、ヘッド２８６は流れ制御部材２５８を係脱するまたは流れ制御部材２５８から離れるように動く。かくして、負荷要素２０６によって与えられる負荷の代わりに塞ぎバネ２９２によって与えられる負荷の元で流れ制御部材２５８の密封２７０は弁座２５４と密封するように係合する。（例えば、図１に示されるように）バルブステム２２６が流れ制御部材２５８に固定的に接続されていた場合、さもなければ負荷要素２０６によって流れ制御部材２５８に与えられるだろうより（緊密な遮断をもたらすには十分であるが）小さい座負荷を塞ぎバネ２９２が提供するのでこれは有利である。かくして、図１の公知の流体調節器１００とは対照的に、例示的な流体調節器２００のシール２７０に与えられる座負荷は、図１Ａ及び図１Ｂのシール１３６に負荷要素１２６によって与えられる座負荷より著しく少ない、塞ぎバネ２９２の力により制御するまたは予め決めることができる。
【００２８】
かくして、例えば、流体調節器２００の保守または輸送中にシール２７０が損傷が与えられることを著しく減少するまたは防ぐので、本明細書に記載されるように、バルブステム２２６と流れ制御部材２５８とを摺動可能に結合することは有利である。例えば、負荷要素２０６が所望の設定点に調整され、感知室２２０内の圧力が負荷要素２０６によって提供される力（例えば、大気圧）より少ないとき、操作可能に負荷要素２０６及び流れ制御部材２５８の係脱するまたは接続を外すことにより、流れ制御部材２５８とバルブステム２２６との間の摺動接続が、流れ制御部材２５８のシール２７０から負荷要素２０６によって与えられる既定負荷または力を軽減する。図４に示されるように、流れ制御部材２５８が弁座２５４に係合するときに流れ制御部材２５８を通したバルブステム２２６の摺動を許すことは、負荷要素２０６及び流れ制御部材２５８を操作可能に係脱するまたは結合を外す。
【００２９】
特定の器具が本明細書に記載されるが、本特許の包含の範囲はそれによって限定されない。逆に、本特許は文言的または均等論の下に付属の特許請求の範囲の範囲内に正当に含まれる全ての器具を包含する。
【図１Ａ】
0005933531.tif 000002
【図１Ｂ】
0005933531.tif 000003
【図２Ａ】
0005933531.tif 000004
【図２Ｂ】
0005933531.tif 000005
【図３】
0005933531.tif 000006
【図４】
0005933531.tif 000007